(57)【要約】【課題】  ジャム処理開閉カバーに設けられた圧接コロと搬送ローラの位置決め精度向上および搬送力均一化による搬送精度向上。【解決手段】  圧接コロを備えたジャム処理開閉カバーを搬送ローラ軸の両端近傍に直接位置決めし、圧接コロおよびジャム処理開閉カバーのシート搬送方向とコロ圧接方向を拘束する。【選択図】  図２
2006168917.tif 000002
【特許請求の範囲】
【請求項１】
シートを記録・読み取り部に搬送するための駆動力を持った軸とローラから構成される搬送ローラと、コイルスプリング状の軸を備えて前記搬送ローラに圧接して連れ回りするコロと、前記コロを備えたジャム処理開閉カバーとを有する記録・読み取り装置において、ジャム処理開閉カバーを搬送ローラ軸の両サイド２箇所で直接位置決め拘束し、その他の自由度を本体と１箇所で位置決め拘束することを特徴とする記録・読み取り装置。
【請求項２】
ジャム処理開閉カバーがスライド式に平行移動することを特徴とする請求項１記載の記録・読み取り装置。
【請求項３】
ジャム処理開閉カバーが任意の方向に回転軸を持ち回転移動することを特徴とする請求項１記載の記録・読み取り装置。
【発明の詳細な説明】
【技術分野】
【０００１】
本発明は、シートを一枚づつ順次搬送するシート送り装置の給紙カセット、及び前記シート送り装置を有する記録・読取装置に関し、特にジャム処理開閉カバーの位置決め構成に関する。
【０００２】
前記記録・読取装置には、例えば複写機、ファクシミリ、プリンタ、スキャナ、ＭＦＰ等が含まれる。
【背景技術】
【０００３】
搬送ローラと対を形成する圧接コロを備えたジャム処理開閉カバーにおける従来の位置決め構成は、圧接コロを備えたジャム処理開閉カバーと、本体側に設けられ搬送ローラ軸を支持している部材または搬送ローラ軸を除く本体部材との間で位置決めされていた。（たとえば、特許文献１参照）
【特許文献１】特開平７−２８５７０４号公報
【発明の開示】
【発明が解決しようとする課題】
【０００４】
搬送ローラと対を形成する圧接コロを同軸上に複数個備えてシートを挟んで搬送する場合、シートの斜行およびジャムを低減させるためには、搬送ローラの回転軸と圧接ころ回転軸の位置関係にねじれが無いよう、平行に圧接する必要がある。また、同軸上に複数個の圧接コロを備える場合には、それぞれの圧接コロの接触圧を均一化させて各ローラ搬送力を均一にしなければならない。
【０００５】
前述のとおり、従来は圧接コロを備えたジャム処理開閉カバーは搬送ローラ軸を除く本体部品、たとえば外装・シャーシ・搬送面を形成する部材等に位置決め固定していた。そのため、圧接コロと搬送ローラとの間に多くの部品が介在し、それぞれの部品公差が蓄積することで、搬送ローラと圧接コロとの間の位置決め精度が低下していた。
【課題を解決するための手段】
【０００６】
圧接コロを備えたジャム処理開閉カバーを搬送ローラ軸の両端近傍に直接位置決めし、圧接コロおよびジャム処理開閉カバーのシート搬送方向とコロ圧接方向を拘束する。これにより、圧接コロを備えたジャム処理開閉カバーは搬送ローラの取付け精度に関わることなく、対のローラを平行かつ均一の圧接力に保つことができる。
【０００７】
また、ジャム処理開閉カバーの他の自由度はジャム処理開閉カバーの中央１点で本体と位置決め拘束する。
【発明の効果】
【０００８】
本発明の使用により、ジャム処理開閉カバーに設けられた圧接コロと搬送ローラの位置決め精度向上および搬送力均一化が図れる。その結果、シート搬送の直進性が向上し、製品の品質向上につながる。また、特別な機構を必要としないため安価な構成が実現できる。
【発明を実施するための最良の形態】
【０００９】
本発明の実施の形態について、図面を参照しながら詳細に説明する。
【実施例１】
【００１０】
本発明の実施形態について図面を参照して説明する。
【００１１】
図１は本発明の実施形態に関わるジャム処理開閉カバーを備えた記録・読み取り装置概略図、図２はジャム処理開閉カバーの位置決め構成斜視図および図３はジャム処理開閉カバーの斜視図、図４はジャム処理開閉カバーの断面図である。
【００１２】
本実施例の圧接コロ１を備えたジャム処理開閉カバー２の位置決め構成は、コイル状スプリング３を軸とした圧接コロ１と、回転可能かつ圧接方向のみ平行移動できるように圧接コロを支持したジャム処理開閉カバー２と、記録読み取り装置本体に支持された搬送ローラ軸４と、搬送ローラ軸４と一体で回転駆動し圧接ローラ１との間でシートＰを挟み搬送するための搬送ローラ５と、搬送ローラに駆動力を伝達するための駆動力伝達ユニット６から成る。
【００１３】
次に本実施例の位置決め構成について説明する。
【００１４】
図４を参照すると、圧接コロ１はシート搬送面の両側に備えたフランジによってジャム処理開閉カバー２に支持されている。この圧接コロ１は回転可能で且つコイル状スプリング軸３が弾性変形してシートを圧接・解除する方向に移動可能である。複数個の圧接コロ１を備える場合にはそれぞれのコロがシート搬送方向にずれないよう部品公差を管理する。
【００１５】
次に、圧接コロ１を備えたジャム処理開閉カバー２と搬送ローラ軸４の位置決め構成を説明する。本体を構成する部品公差および組立公差の影響を受けて所定の位置からずれて設置された搬送ローラ軸４に対しても複数のコロ１が均一の圧接力で接し、シートＰに対して均一な搬送力を加えられるように、ジャム処理開閉カバー２を搬送ローラ軸４に対してコロ圧接方向に突き当てる。固定は本体７とジャム処理開閉カバー２の間に弾性体を設けてジャム処理開閉カバー２を搬送ローラ５に押し付ける（図は省略）。
【００１６】
さらに、搬送ローラ軸４と圧接コロ１の軸が平行となるように、ジャム処理開閉カバー２は搬送ローラ軸４に対して、シート搬送上流および下流側から挟むように位置決めして、シート搬送方向に拘束する。
【００１７】
ここまでの位置決めにより、ジャム処理開閉カバー２は搬送ローラ５の軸方向および、搬送ローラ軸４回りの回転がフリーとなる。これらを拘束するために、ジャム処理開閉カバー２の中央に位置決め用突起を設け、図に示すようにスライドしながら本体にはめ込む。
【００１８】
本構成では搬送ローラ５と圧接コロ１の位置決め精度および圧接力の管理をするために、ジャム処理開閉カバー２を直接搬送ローラ軸４に位置決めしている。そのため、搬送ローラ軸４に芯ぶれがわずかでもある場合には、搬送ローラ軸４の回転周期とともにジャム処理開閉カバー２は、搬送ローラ軸４の芯ぶれ量に相当するだけ、図７のように振動する（図中１０）。この振動９を回避するためにジャム処理開閉カバー２は中央１点（図中８）で本体と接触しており、ジャム処理開閉カバー２が仮に振動したとしても、両側に隙間１０があるために本体７を加振することなく、振動および振動から生じる騒音を回避できる。
【実施例２】
【００１９】
次に第２の実施例について図８を参照して説明する。
【００２０】
なお、本実施例は実施例１のスライド式ジャム処理開閉カバーを回転式に変更したものであり、他の部分の構成に関しては第一の実施例と同様である。
【図面の簡単な説明】
【００２１】
【図１】本発明第１の実施例に関わる記録・読み取り装置概略図。
【図２】本発明第１の実施例に関わるジャム処理開閉カバー構成の斜視図。
【図３】本発明第１の実施例に関わるジャム処理開閉カバーの斜視図。
【図４】本発明第１の実施例に関わるジャム処理開閉カバーの断面図。
【図５】本発明第１の実施例に関わるジャム処理開閉カバーの位置決め部。
【図６】本発明第１の実施例に関わるジャム処理開閉カバー拘束図。
【図７】本発明第１の実施例に関わるジャム処理開閉カバーの背面斜視図。
【図８】本発明第２の実施例に関わるジャム処理開閉カバーの断面斜視図。
【符号の説明】
【００２２】
１    圧接コロ
２    ジャム処理開閉カバー
３    コイル状スプリング軸
４    搬送ローラ軸
５    搬送ローラ
６    駆動力伝達ユニット
７    本体（ベース）
８    ジャム処理開閉カバーと本体の位置決め部
９    ジャム処理開閉カバーの振動
１０  ジャム処理開閉カバーと本体（ベース）の隙間
１１  回転式ジャム処理開閉カバーと本体の位置決め部兼回転軸
１２  給紙ローラ
１３  記録・読み取り部（搬送ローラ下流側）
Ｐ    シート
【図１】
2006168917.tif 000003
【図２】
2006168917.tif 000004
【図３】
2006168917.tif 000005
【図４】
2006168917.tif 000006
【図５】
2006168917.tif 000007
【図６】
2006168917.tif 000008
【図７】
2006168917.tif 000009
【図８】
2006168917.tif 000010